(57)【要約】【課題】小型化を可能にした床置き型の室内機を提供する。【解決手段】吸込口１ａの左側上部に上部モータ２０を保持する上部モータホルダ２２が配置され、吸込口１ａの左側下部に下部モータ２１を保持する下部モータホルダ２３が配置され、上部モータホルダ２２と下部モータホルダ２３の間に電装品箱１２が配置されている。上部モータホルダ２２の正面にアドレス等の設定を行うスイッチ部１１が配置され、下部モータホルダ２３の正面に室外機との通信を行う通信線を接続する通信線端子部１３が取り付けられている。【選択図】図２
2018159498.tif 000002
【特許請求の範囲】
【請求項１】
正面中央に吸込口が設けられ、正面上部に上部吹出口が設けられ、正面下部に下部吹出口が設けられ、内部に熱交換器が設けられ、内部の上部に上部モータで駆動される上部クロスフローファンが設けられ、内部の下部に下部モータで駆動される下部クロスフローファンが設けられ、前記上部クロスフローファンと前記下部クロスフローファンにより前記吸込口から吸い込んだ空気を前記熱交換器で冷媒と熱交換して前記上部吹出口と前記下部吹出口から吹き出す空気調和機の床置き型の室内機において、
前記吸込口の左側と右側のいずれか一方に、前記上部モータを保持する上部モータホルダと前記下部モータを保持する下部モータホルダが配置され、前記上部モータホルダと前記下部モータホルダの間に電装品箱が配置され、
前記上部モータホルダと前記下部モータホルダのいずれか一方の正面にスイッチ取付面が形成され、前記上部モータホルダと前記下部モータホルダのいずれか他方の正面に通信線端子取付面が形成され、
前記スイッチ取付面にスイッチ部が取り付けられ、前記通信線端子取付面に室外機との通信を行う通信線を接続する通信線端子部が取り付けられている、
ことを特徴とする空気調和機の床置き型の室内機。
【請求項２】
請求項１に記載の室内機において、
前記吸込口の左側と右側のいずれか他方に、電源端子台と配管接続部が配置され、該配管接続部に電子膨張弁が配置されていることを特徴とする空気調和機の床置き型の室内機。
【発明の詳細な説明】
【技術分野】
【０００１】
本発明は、空気調和機の床置き型の室内機に関する。
【背景技術】
【０００２】
室内の壁面を背にするように床面に設置される床置き型の室内機として、上部クロスフローファンと下部クロスフローファンにより、室内機本体の正面中央に形成された吸込口から吸い込んだ空気を、室内機内部に配置された熱交換器の冷媒と熱交換した後に、室内機正面上部に形成された上部吹出口と室内機正面下部に形成された下部吹出口から、それぞれ室内に吹き出す構成のものがある（例えば、特許文献１）。
【０００３】
このような床置き型の室内機では、上部クロスフローファンを駆動する上部モータが室内機左側の上部に配置されるとともに、下部クロスフローファンを駆動する下部モータが室内機左側の下部に配置され、それら上部モータと下部モータの間に電装品箱が配置される。一方、外部電源を取り込む電源端子台は室内機右側の上部に配置され、熱交換器の配管と室外機の配管を接続する配管接続部は室内機右側の下部に配置される。
【０００４】
１台の室外機に対して１台あるいは２台以上の室内機が接続される空気調和機では、冷媒の流量を制御する電子膨張弁が室外機側に設置されるので、上記した室内機をほぼそのまま適用することができる。
【先行技術文献】
【特許文献】
【０００５】
【特許文献１】特開２００８−２６７６５６号公報
【発明の概要】
【発明が解決しようとする課題】
【０００６】
ところが、１台あるいは２台以上の室外機に対して２台以上の室内機が接続され冷媒流量可変制御型の空気調和機では、各室内機に電子膨張弁を配置する必要があるが、そのほかに、各室内機に冷媒系統アドレスや室内機アドレスの設定を行うためのスイッチ部や、室外機との間で通信を行うための通信線を接続する通信線端子部を配置しなければならない。このため、冷媒流量可変制御型の空気調和機では、スイッチ部や通信線端子部を配置するためのスペースが、冷媒流量可変制御型以外の空気調和機の場合よりも余分に要求されるので、室内機が大型化する懸念がある。
【０００７】
本発明の目的は、スイッチ部や通信線端子部等を配置するスペースの配置を工夫して、小型化を可能にした床置き型の室内機を提供することである。
【課題を解決するための手段】
【０００８】
上記目的を達成するために、請求項１にかかる発明は、正面中央に吸込口が設けられ、正面上部に上部吹出口が設けられ、正面下部に下部吹出口が設けられ、内部に熱交換器が設けられ、内部の上部に上部モータで駆動される上部クロスフローファンが設けられ、内部の下部に下部モータで駆動される下部クロスフローファンが設けられ、前記上部クロスフローファンと前記下部クロスフローファンにより前記吸込口から吸い込んだ空気を前記熱交換器で冷媒と熱交換して前記上部吹出口と前記下部吹出口から吹き出す空気調和機の床置き型の室内機において、前記吸込口の左側と右側のいずれか一方に、前記上部モータを保持する上部モータホルダと前記下部モータを保持する下部モータホルダが配置され、前記上部モータホルダと前記下部モータホルダの間に電装品箱が配置され、前記上部モータホルダと前記下部モータホルダのいずれか一方の正面にスイッチ取付面が形成され、前記上部モータホルダと前記下部モータホルダのいずれか他方の正面に通信線端子取付面が形成され、前記スイッチ取付面にスイッチ部が取り付けられ、前記通信線端子取付面に室外機との通信を行う通信線を接続する通信線端子部が取り付けられている、ことを特徴とする。
請求項２にかかる発明は、請求項１に記載の室内機において、前記吸込口の左側と右側のいずれか他方に、電源端子台と配管接続部が配置され、該配管接続部に電子膨張弁が配置されていることを特徴とする。
【発明の効果】
【０００９】
本発明によれば、上部モータホルダや下部モータホルダの正面にスイッチ部や通信線端子部を配置するので、スイッチ部や通信線端子部のために特別なスペースを作成する必要がなく、室内機の小型化が可能となる。また、配管接続部に電子膨張弁を配置することで、さらに室内機の小型化が可能となる。
【図面の簡単な説明】
【００１０】
【図１】空気調和機の床置き型の室内機の斜視図である。
【図２】同室内機の吸込グリルと前面パネルを取り外した正面図である。
【図３】同室内機の中央部分の縦断面図である。
【図４】同室内機の吸込グリルと前面パネルを取り外した状態を左前法から見た斜視図である。
【図５】図室内機のスイッチ部の取付説明図である。
【図６】同室内機のスイッチ部の取付部分の断面図である。
【図７】同室内機の通信線端子部の取付説明図である。
【図８】同室内機の通信線端子部の取付部分の断面図である。
【図９】同室内機の吸込グリルと前面パネルを取り外した状態を右前方から見た斜視図である。
【図１０】同室内機の電子膨張弁配線の説明図である。
【図１１】膨張弁配線の配線部分の拡大図である。
【発明を実施するための形態】
【００１１】
図１〜図４に示す本実施例の床置き型の室内機１００において、１は中央に吸込口１ａが設けられた吸込グリルであり、室内機１００の正面に取り付けられる。２は室内機１００の前面を閉じる前面パネルであり、吸込グリル１の吸込口１ａが正面の中央に位置するように取り付けられ、上部に表示部２ａが形成されている。３は室内機１００の正面の左側を閉じる左パネル、４は室内機１００の正面の右側を閉じる右パネル、５は室内機１００の背面を閉じる背面パネルである。背面パネル５は上面部５ａ、左側面部５ｂ、右側面部５ｃを有する。６は前面パネル２の上部に形成される上部吹出口、７は上部吹出口６の開閉度合を調整する上部開閉フラップである。８は前面パネル２の下部に形成される下部吹出口、９は下部吹出口８の開閉度合を調整する下部開閉フラップである。
【００１２】
１０は吸込グリル１の背面に位置するよう配置された熱交換器である。１１は室内機１００の冷媒系統アドレスや室内機アドレス等の各種設定を行うためのスイッチ部、１２は室内機１００を制御する制御基板が内蔵された電装品箱、１３は室内機１００の電装品箱１２と室外機との間に配線される通信線を接続するための通信線端子部である。これらのスイッチ部１１、電装品箱１２、通信線端子部１３は、いずれも室内機１００の左側の内側、つまり背面パネル５の左側面部６ｂと左パネル３で囲まれた内側に上下方向に並べて配置されている。１４は熱交換器１０の上端１０ａと上部吹出口６の間に配置された表示器ホルダである。１５は室内機１００の背面側に電源コード（図示せず）が引き出される電源接続部、１６は室外機と接続する配管が接続される配管接続部である。１７は冷媒の流量を調節する電子膨張弁であり、その配管接続部６の中に配置されている。これらの電源接続部１５、配管接続部１６、電子膨張弁１７は、いずれも室内機１００の右側の内側、つまり背面パネル５の右側面部６ｃと右パネル４で囲まれたの内側に配置されている。
【００１３】
１８は上部吹出口７の内側において熱交換器１０の背面上部に配置された上部クロスフローファン、１９は下部吹出口８の内側において熱交換器１０の背面下部に配置された下部クロスフローファンである（図３参照）。２０は上部クロスフローファン１８を回転駆動する上部モータ（図６参照）、２１は下部クロスフローファン１９を回転駆動する下部モータ（図８参照）であり、いずれも室内機１００の左側、つまり背面パネル５の左側面部６ｂと左パネル３で囲まれた内側に配置されている。上部クロスフローファン１８が上部モータ２０によって駆動され、下部クロスフローファン１９が下部モータ２１によって駆動されると、室内空気が、吸込グリル１から熱交換器１０に吸い込まれて冷媒と熱交換され、上部吹出口６と下部吹出口８から室内に吹き出される。
【００１４】
２２は上部モータホルダであり、上部モータ２０を室内機フレーム２４に保持している。２３は下部モータホルダであり、下部モータ２１を室内機フレーム２４に保持している。前記したスイッチ部１１は上部モータホルダ２２の正面に取り付けられ、前記した通信線端子部１３は下部モータホルダ２３の正面に取り付けられている。そして、電装品箱１２はスイッチ部１１と通信線端子部１３の間に配置されている。
【００１５】
図５と図６はスイッチ部１１の取り付けの説明図である。上部モータホルダ２２には正面側にスイッチ取付面２２１が形成されている。スイッチ部１１はディップスイッチやロータリスイッチ等のデジタルスイッチ１１１ａが搭載されたスイッチ基板１１１と、そのスイッチ基板１１１が内部に装填されるボックス形状の樹脂製のスイッチボックス１１２とで構成されている。スイッチボックス１１２は、その開放面１１２ａが正面を向く姿勢で上部モータホルダ２２のスイッチ取付面２２１にネジ止めされる。スイッチ基板１１１は操作部であるデジタルスイッチ１１１ａが正面を向く姿勢でスイッチボックス１１２に装填されネジ止めされる。このスイッチ基板１１１に接続される配線（図示せず）は電装品箱１２に接続される。よって、このスイッチ基板１１１に対しては、左パネル３を取り外すことで、室内機１００の正面から容易にアクセスすることができ、冷媒系統アドレスや室内機アドレス等の各種設定の作業が容易となる。
【００１６】
図７と図８は通信線端子部１３の取り付けの説明図である。下部モータホルダ２３には正面側に通信線端子取付面２３１が形成されている。通信線端子部１３は通信線端子台１３１と端子台取付板１３２とで構成される。下部モータホルダ２３の通信線端子取付面２３１に端子台取付板１３２をネジ止めし、その端子台取付板１３２に通信線端子台１３１をネジ止めすることにより、通信線端子台１３１は端子１３１ａが正面を向く姿勢で取り付けられる。この通信線端子台１３１には、電装品箱１２から引き出される配線と室外機から引き込まれる配線の両者が接続される。この通信線端子部１３に対しても、左パネル３を取り外すことにより、室内機１００の正面から容易にアクセスすることができ、通信線の配線作業が容易となる。
【００１７】
このように、本実施例では、上部モータ２０を保持する上部モータホルダ２２が左上部に配置され、下部モータ２１を保持する下部モータホルダ２３が左下部に配置されている床置き型の室内機１００において、上部モータホルダ２２の正面にスイッチ部１１を取り付け、下部モータホルダ２３の正面に通信線端子部１３を取り付ける点に特徴を持っている。
【００１８】
冷媒流量可変制御型でない通常の床置き型の室内機でも、上部モータホルダや下部モータホルダは取り付けられているので、その上部モータホルダをスイッチ取付面２２１を備えた上部モータホルダ２２に置き換え、下部モータホルダを通信線端子取付面２３１を備えた下部モータホルダ２３に置き換えることによって、冷媒流量可変制御型の室内機に容易に対応させることができる。
【００１９】
また、冷媒流量可変制御型の室内機では、上記したスイッチ部１１や通信線端子部１３の他に、電子膨張弁１７も搭載する必要があり、前記したように本実施例ではその電子膨張弁１７を配管接続部１６に配置している。しかし、配管接続部１６は右パネル４の内側に位置しているので、左パネル３の内側に配置されている電装品箱１２と電子膨張弁１７の間を接続する膨張弁配線２５は、電装品箱１２と電子膨張弁１７の間に配置されている熱交換器１０の近くを経由して配線する必要がある。
【００２０】
そこで、本実施例では、その膨張弁配線２５を、図９〜図１１に示すように、表示器ホルダ１４と熱交換器１０の上端１０ａとの間にできるスペースＳ１内に沿わせている。表示器ホルダ１４は、ＬＥＤ等を有する表示基板２６が内部に装填される表示基板ホルダ１４１と、その表示基板ホルダ１４１を保持した状態で前面パネル２の表示部２ａの背面に配置される前面ホルダ１４２からなる。
【００２１】
表示基板ホルダ１４１は、表示基板２６を収容する溝形状の基板収容部１４１ａと、その基板収容部１４１ａを閉じる蓋１４１ｂと、配管接続部１６の配管温度を測定する温度センサ２７のセンサ配線２８をガイドする配線ガイド部１４１ｃと、この配線ガイド部１４１ｃの下部に下方向に突出するように形成された膨張弁配線２５用の配線押え片１４１ｄとを備える。
【００２２】
前面ホルダ１４２には、背面側にガイド片１４２ａ，１４２ｂが図１０、図１１の紙面に垂直方向に形成され、このガイド片１４２ａ，１４２ｂの間に表示基板ホルダ１４１がガイドされ保持される。
【００２３】
前面パネル２の表示部２ａは３０度程度の角度で上方向を向くように傾斜して形成されており、その表示部２ａの傾斜に合わせて表示器ホルダ１４が配置されている。このため、表示基板ホルダ１４１も同様に傾斜し、その配線押え片１４１ｄと配線ガイド部１４１ｃの下片１４１ｃ１は、熱交換器１０の上端１０ａとの間でスペースＳ１を生成する。
【００２４】
したがって、表示器ホルダ１４を取り付ける前に、このスペースＳ１内に予め膨張弁配線２５を這わせておくと、表示器ホルダ１４を取り付けた際に、その膨張弁配線２５は熱交換器１０の上端１０ａと配線押え片１４１ｄと配線ガイド部１４１ｃの下片１４１ｃ１によって周囲が囲まれ、熱交換器１０の上端１０ａから脱落することなく、その熱交換器１０に沿って右パネル４の内側から左パネル３の内側に配置され保持される。
【００２５】
このように、膨張弁配線２５は表示器ホルダ１４と熱交換器１１の上端１０ａとの間のスペースＳ１にガイドされるので、その膨張弁配線２５のための専用の配線ガイド部品が不要となる。
【００２６】
また、冷媒流量可変制御型対応でない従来の床置き型の室内機では、センサ配線２８をガイドする配線ガイド部１４１ｃが表示基板ホルダに形成されているが、本実施例では、このような表示基板ホルダに配線押え片１４１ｄを追加した表示基板ホルダ１４１とすることのみで、膨張弁配線２５をガイドすることができるので、表示基板ホルダ１４１の設計が容易となる。
【００２７】
なお、上部モータ２０、下部モータ２１、上部モータホルダ２２及び下部モータホルダ２３は、室内機１００の右側、つまり背面パネル５の右側面部５ｃと右パネル４の内側に配置することもできる。また、スイッチ部１１を下部モータホルダ２３の正面に取り付け、通信線端子部１３を上部モータホルダ２２の正面に取り付けることもできる。
【符号の説明】
【００２８】
１：吸込グリル、１ａ：吸込口、２：前面パネル、２ａ：表示部、３：左パネル、４：右パネル、５：背面パネル、５ａ：上面部、５ｂ：左側面部、５ｃ：右側面部、６：上部吹出口、７：上部開閉フラップ、８：下部吹出口、９：下部開閉フラップ、１０：熱交換器、１１：スイッチ部、１１１：スイッチ基板、１１１ａ：デジタルスイッチ、１１２：スイッチボックス、１２：電装品箱、１３：通信線端子部、１３１：通信線端子台、１３２：端子台取付板、１４：表示器ホルダ、１４１：表示基板ホルダ、１４１ａ：基板収容部、１４１ｂ：蓋、１４１ｃ：配線ガイド部、１４１ｃ１：下片、１４１ｄ：配線押え片、１４２：前面ホルダ、１４２ａ，１４２ｂ：ガイド片、１５：電源接続部、１６：配管接続部、１７：電子膨張弁、１８：上部クロスフローファン、１９：下部クロスフローファン、２０：上部モータ、２１：下部モータ、２２：上部モータホルダ、２２１：スイッチ取付面、２３：下部モータホルダ、２３１：通信線端子取付面、２４：室内機フレーム、２５：膨張弁配線、２６：表示基板、２７：温度センサ、２８：センサ配線
【図１】
2018159498.tif 000003
【図２】
2018159498.tif 000004
【図３】
2018159498.tif 000005
【図４】
2018159498.tif 000006
【図５】
2018159498.tif 000007
【図６】
2018159498.tif 000008
【図７】
2018159498.tif 000009
【図８】
2018159498.tif 000010
【図９】
2018159498.tif 000011
【図１０】
2018159498.tif 000012
【図１１】
2018159498.tif 000013